(57)【要約】      （修正有）【課題】湿度や温度で作動でき、何度でもオンオフさせることが可能な電気機器（エアコン、加湿器、換気扇）を提供する。【解決手段】電気機器に時間でオンオフを制御する第一のスイッチ手段と、湿度でオンオフを制御する第二のスイッチ手段と、温度でオンオフを制御する第三のスイッチ手段とを備える。第一のスイッチ手段と第二のスイッチ手段と第三のスイッチ手段はコンセントとプラグとの間に配設され、コンセントには電気機器が着脱自在に接続される。【選択図】図１
0003217716.tif 000002
【実用新案登録請求の範囲】
【請求項１】
時間でオンオフを制御する第一のスイッチ手段と、湿度でオンオフを制御する第二のスイッチ手段と、温度でオンオフを制御する第三のスイッチ手段とを備えたことを特徴とする電気機器。
【請求項２】
前記第一のスイッチ手段と第二のスイッチ手段と第三のスイッチ手段はコンセントとプラグとの間に配設されており、前記コンセントには電気機器が着脱自在に接続される前記請求項１に記載の電気機器。
【請求項３】
前記第一のスイッチ手段のオン又はオフを決定する時間の決定手段と、前記第二のスイッチ手段のオン又はオフを決定する湿度の決定手段と、第三のスイッチ手段のオン又はオフを決定する湿度の決定手段とが備えられている請求項１乃至請求項２のいずれか１項に記載の電気機器。
【請求項４】
前記第一のスイッチ手段と第二のスイッチ手段と第三のスイッチ手段には、常にオンにするエバーオンスイッチがそれぞれ設けられている請求項１又は請求項３のいずれか１項に記載の電気機器。
【考案の詳細な説明】
【技術分野】
【０００１】  本考案は、エアコン、加湿器、換気扇のように時間、温度、湿度で動作時間を自動的にコントロールすることが望まれる電気機器又はエアコン、加湿器、換気扇のように時間、温度、湿度で動作時間を自動的にコントロールすることが望まれる電気機器が着脱自在に接続されるコンセントを例とする電気機器に関するものである。
【背景技術】
【０００２】  従来より、設定した時間が来れば作動するようにしたエアコンは知られているが、湿度や温度で作動できるようにしたエアコン、加湿器、換気扇は提案又は商品化されていない。【０００３】  また、設定した時間が来れば作動するようにしたものは、一度だけしか設定できず、一旦設定した時間が来てスイッチが切れてしまうと再度設定したり、オンのまま使用しなければならないという問題があった。
【先行技術文献】
【特許文献】
【０００４】
【特許文献１】特開２０１６−１０９３４２号公報
【考案の概要】
【考案が解決しようとする課題】
【０００５】  本考案は、上記従来の課題を解決するためになされたものであり、時間、湿度や温度を何度でもオンオフさせることが可能であり、快適な状態での使用が出来る電気機器を提供することにある。
【課題を解決するための手段】
【０００６】  上記課題を解決するため、本考案の電気機器は、時間でオンオフを制御する第一のスイッチ手段と、湿度でオンオフを制御する第二のスイッチ手段と、温度でオンオフを制御する第三のスイッチ手段とを備えたことを特徴とする。
又、本考案にあっては、前記第一のスイッチ手段と第二のスイッチ手段と第三のスイッチ手段はコンセントとプラグとの間に配設されており、前記コンセントには電気機器が着脱自在に接続されることが望ましい。
又、本考案にあっては、前記第一のスイッチ手段のオン又はオフを決定する時間の決定手段と、前記第二のスイッチ手段のオン又はオフを決定する湿度の決定手段と、第三のスイッチ手段のオン又はオフを決定する湿度の決定手段とが備えられていることが望ましい。
又、本考案にあっては、前記第一のスイッチ手段と第二のスイッチ手段と第三のスイッチ手段には、常にオンにするエバーオンスイッチがそれぞれ設けられていることが望ましい。
【考案の効果】
【０００７】  本考案の電気機器は、時間でオンオフを制御する第一のスイッチ手段と、湿度でオンオフを制御する第二のスイッチ手段と、温度でオンオフを制御する第三のスイッチ手段とを備えたことを特徴とするものであるから、使用者において、時間、湿度、温度に対し最も適した条件で電気機器を使用することが出来るという効果がある。
又、請求項２のように、前記第一のスイッチ手段と第二のスイッチ手段と第三のスイッチ手段はコンセントとプラグとの間に配設されており、前記コンセントには電気機器が着脱自在に接続されるものは、この構成を備えた電気機器を購入してコンセントに装着するだけで、使用者が通常の電気機器を、時間、湿度、温度に対し最も適した条件で電気機器を使用することが出来るという効果がある。
又、請求項３のように、前記第一のスイッチ手段のオン又はオフを決定する時間の決定手段と、前記第二のスイッチ手段のオン又はオフを決定する湿度の決定手段と、第三のスイッチ手段のオン又はオフを決定する湿度の決定手段とが備えられているものは、使用者において、時間、湿度、温度に対し最も適した条件に設定することが可能となり、最適な条件の電気機器を使用することが出来るという効果がある。
又、請求項４のように、前記第一のスイッチ手段と第二のスイッチ手段と第三のスイッチ手段には、常にオンにするエバーオンスイッチがそれぞれ設けられているものは、エバーオンスイッチで常時オンにして時間、湿度、温度に対し個々に設定した条件以外の条件で電気機器を使用することが出来るという効果がある。
【図面の簡単な説明】
【０００８】
【図１】図１は、本考案の電気機器の正面図。
【考案を実施するための形態】
【０００９】  以下、本考案の実施の形態を図１に基づいて詳述すると、セットボックス１内には時間でオンオフを制御する第一のスイッチ手段２と、湿度でオンオフを制御する第二のスイッチ手段３と、温度でオンオフを制御する第三のスイッチ手段４とが内蔵されている。
【００１０】  第一のスイッチ手段２と第二のスイッチ手段３と第三のスイッチ手段４はコンセント５とプラグ６との間に配設されている。
【００１１】  第一のスイッチ手段２のオン又はオフを決定する時間の決定手段と、第二のスイッチ手段３のオン又はオフを決定する湿度の決定手段と、第三のスイッチ手段４のオン又はオフを決定する湿度の決定手段とがセットボックス１に設けられている。
【００１２】  第一のスイッチ手段２と第二のスイッチ手段３と第三のスイッチ手段４には、常にオンにするエバーオンスイッチがそれぞれ設けられている。
【００１３】  第一のスイッチ手段２は、一般に知られている２４時間タイマーであり、現在時刻でオン状態になっている電気機器は次の設定された時間でオフ状態になるものであり、更に次の設定された時間でオン状態になるものであり、複数の設定が可能であるものである。
【００１４】  第二のスイッチ手段３は、一般に知られている湿度スイッチであり、設定した湿度よりも雰囲気の湿度が高いと電気機器がオン状態になるとともに、設定した湿度よりも雰囲気の湿度が低いと電気機器がオフ状態になるようになっている。
【００１５】  第三のスイッチ手段４は、一般に知られている温度スイッチであり、設定した温度よりも雰囲気の温度が高いと電気機器がオン状態になるとともに、設定した温度よりも雰囲気の温度が低いと電気機器がオフ状態になるようになっている。
【００１６】  第一のスイッチ手段２、第二のスイッチ手段３、第三のスイッチ手段４の全てがオン状態になっていると、電気機器がオン状態になるようになっており、第一のスイッチ手段２、第二のスイッチ手段３、第三のスイッチ手段４の全てがオフ状態になっていると、電気機器がオフ状態になるようになっている。第一のスイッチ手段２、第二のスイッチ手段３、第三のスイッチ手段４のどれかがオン状態になっていると、電気機器がオン状態になるようになっている。第一のスイッチ手段２と第二のスイッチ手段３と第三のスイッチ手段４にそれぞれ設けられたエバーオンスイッチをオンにすることにより、電気機器を常にオンにすることができる。
【００１７】  実施例は、テーブルタップ状のものに、第一のスイッチ手段２、第二のスイッチ手段３、第三のスイッチ手段４を設けたものであるが、エアコン、加湿器、換気扇のような電気機器にこれらを設けても構わないものである。
【符号の説明】
【００１８】１    電気機器
２    第一のスイッチ手段
３    第二のスイッチ手段
４    第三のスイッチ手段
５    コンセント
６    プラグ
【図１】
0003217716.tif 000003